(57)【特許請求の範囲】
【請求項１】
紫外線ランプを透光性の管状のジャケットに収納し、少なくとも一本のジャケットを支持体に支持してなる水処理装置において、
ジャケットに環状体を移動自在に支持し、また環状体の内表面全体にブラシを設けて構成し、さらに環状体の少なくとも片側面に、ブラシの先端が僅かに内方に突出するように中央空孔を有する蓋体を着脱自在に設けて構成し、ブラシの先端でジャケットの外表面を清掃するように構成したことを特徴とする水処理装置。
【請求項２】
ブラシは金属で構成し、さらにブラシの先端は蓋体の中央空孔に対して５ｍｍ乃至８ｍｍ突出して構成したことを特徴とする請求項１記載の水処理装置。
【請求項３】
環状体に着脱自在に設けた蓋体は、外表面に放射状の突出部を複数本構成したことを特徴とする請求項１または請求項２記載の水処理装置。
【発明の詳細な説明】
【０００１】
【発明の属する技術分野】
本発明は下水道等で使用する水処理装置の改良に関する。
【０００２】
【従来の技術】
従来、下水処理場の二次処理水、三次処理水あるいは工場排水等の消毒には、一般に次亜塩素酸ナトリウム等の塩素系の消毒剤が用いられている。
また近年は、下水処理あるいは工場排水等の消毒に、ジャケットに収納してなる紫外線ランプを使用し、処理水に紫外線を照射して殺菌することが実施されている。
【０００３】
【発明が解決しようとする課題】
しかし、次亜塩素酸ナトリウム等の塩素系の消毒剤を用いると副生物としてトリハロメタン等有害物質が発生する可能性があり、放流先の生態系に悪影響を及ぼす恐れがある。
またジャケットに収納してなる紫外線ランプを用いる構造によると、ジャケットに鉄、マンガン、ケイ素、アルミニュウム等が付着し、紫外線の透過率が低下するため、ジャケットを一定の周期で清掃する必要がある。
ところで、ジャケットを清掃する度にジャケットを水処理装置から取り外し清掃すると、清掃作業に手数を要するので、ジャケットは水処理装置に装着した状態で、ジャケットの表面にブラシを前後動させ汚れを落とす構造が提案されている。しかし、単にジャケットの表面にブラシを前後動する構造によると、清掃効果が小さく、ジャケットの表面に付着物が残る欠点がある。
【０００４】
本発明は、上記の点に鑑み発明したものであって、二次公害が発生することがなく、ジャケットの表面に付着した鉄、マンガン、ケイ素、アルミニュウム等を効果的に清掃することができ、ジャケットからの紫外線の透過率を高めて、紫外線により効果的に水処理を行うことができる水処理装置を提供することを目的とする。
【０００５】
【課題を解決するための手段】
請求項１に記載の本発明は上記した課題を解決するために次の構成とする。
つまり、紫外線ランプを透光性の管状のジャケットに収納し、少なくとも一本のジャケットを支持体に支持してなる水処理装置に関する。
またジャケットに環状体を移動自在に支持し、また環状体の内表面全体にブラシを設けて構成してある。
さらに環状体の少なくとも片側面に、ブラシの先端が僅かに内方に突出するように中央空孔を有する蓋体を着脱自在に設けて構成し、ブラシの先端でジャケットの外表面を清掃するように構成してある。
同構造の水処理装置によると、ブラシによりジャケットの清掃を効果的に行うことができ、さらに蓋体を環状体の少なくとも片側面に配置して構成してあるので、ブラシに塵埃が絡み付くことが少ない。
【０００６】
請求項２に記載の発明は、請求項１に記載のブラシを金属で構成し、さらにブラシは蓋体の中央空孔に対して５ｍｍ乃至８ｍｍ突出して構成してある。
そしてジャケットを洗浄するときは、ブラシの先端がへたることがなく、確実に清掃することができるように構成してある。
【０００７】
請求項３に記載の発明は、請求項１または請求項２において、環状体に着脱自在に設けた蓋体の外表面に放射状の突出部を複数本構成してある。
そしてジャケットの表面にブラシを前後動するときに、水の流れを受けて環状体が回動するように構成し、ジャケットの清掃効果を高める。
【０００８】
【発明の実施の形態】
以下本発明の水処理装置を図１乃至図４について説明する。図において、１は水処理装置本体であって、箱形に構成し、例えば工場の二次排水あるいは三次排水の水路の一部に設置する。２は水処理装置本体１の内部に配置するジャケットであって、石英ガラスで構成してある。また同ジャケット２は、図１及び図２に示すように、例えば４本のジャケットをセットとして組合わせて構成してある。また水処理装置本体１の内部には、図１に示すように４本のジャケットを組合わせたものを例えば６セット装着して構成してある。また各ジャケット２の内部には、紫外線ランプを装着して構成してある。紫外線ランプとしては、例えば６５ワットの低圧水銀ランプを用いて構成する。また４本組合わせて配置したジャケットとジャケットの間隔は例えば８０ｍｍ程度に構成してある。
【０００９】
４はジャケット２を支持する支持体であって、両端に位置する縦脚５，６と、同縦脚５，６を上端でつなぐ横片７とで構成してある。また横片７にはガイド用の空孔８を構成してある。９はジャケット２と紫外線ランプの両端を水封状態に支持してなるジャケット支持管、１０は紫外線ランプの両端に接続してなるリード線を覆ってなるパイプである。１１は支持体４の横片７の下側に横片と平行に配置してなるガイド棒である。
【００１０】
２０はガイド棒１１に沿って横移動する移動体、２１は移動体２０の上端に設けてなる掛合体であって、掛合凹部２２を有して構成してある。また同掛合凹部２２にはモータの回転により、前後動する駆動軸（図示せず）が掛合する。２３は移動体２０の下端に設けてなる枠形のブラシ支持体であって、対応する支持体に縦溝２４を有して構成してある。
２５はジャケットに沿って移動する環状体であって、ブラシ支持体２３の縦溝２４から外周の一部が突出し、さらにジャケット２に嵌め込みジャケットに沿って前後動する。２６は環状体２５の内表面全体に設けてなるブラシであって、例えばステンレスで構成してある。またブラシの内端は、ジャケット２の外径より僅かに小さい円形空孔２７を有して構成してある。２８は環状体２５の少なくとも片側面に着脱自在に配置してなる環状の蓋体であって、ブラシの先端が僅かに内方に突出するように中央空孔２９を構成してある。蓋体２８は例えばフッ素樹脂やシリコン樹脂あるいはステンレス材で構成する。また蓋体２８は例えばビスで環状体２５に支持し、紫外線により変質することがなく、汚れが付きにくく、付いた場合でもビスを取外し軽く拭き取るだけで清掃することができる。
【００１１】
また金属で構成してなるブラシは蓋体２８の中央空孔２９に対して内方に５ｍｍ乃至８ｍｍ程度突出して構成してある。ブラシが蓋体２８の中央空孔２９に対して５ｍｍ未満であると、蓋体２８の内側がジャケット２の表面に接触し、環状体２５の移動の妨げとなる。
また８ｍｍを超えると、ブラシのヘタリが大きくなり清掃効果が小さくなる。実験の結果によると、ブラシは蓋体２８の中央空孔２９に対して内方に５ｍｍ乃至８ｍｍ程度突出して構成すると清掃効果が大きい。
【００１２】
また請求項３に記載の発明は、環状体２５に着脱自在に設けた蓋体２８は、外表面を平面に構成し、さらに蓋体２８の外表面に放射状の突出部３０を複数本構成してある。放射状の突出部３０は、例えば４本同一間隔で構成してある。また同突出部３０の高さは１０ｍｍ程度に構成してある。
同構造によると、ジャケットの表面にブラシを前後動するときに、ブラシが回動し、ジャケットの清掃効果は高まる。
【００１３】
【発明の効果】
請求項１と請求項２に記載の本発明によると、ジャケットの外表面を適度な圧力でブラッシングすることができ、ジャケットの清掃効果は高まる特別な効果がある。
【００１４】
請求項３に記載の本発明によると、ジャケットの表面をブラシが回動しながら前後動するので、ジャケットの清掃効果は一層高まる特別な効果がある。
【図面の簡単な説明】
【図１】本発明の水処理装置の斜視図。
【図２】図１に示す水処理装置の一部拡大斜視図。
【図３】図１に示す水処理装置のブラシ部の拡大斜視図。
【図４】図３に示すブラシ部の他の構造の拡大斜視図。
【符号の説明】
１  水処理装置本体
２  ジャケット
４  支持体
５，６  縦脚
７  横片
８  空孔
９  ジャケット支持管
１０  パイプ
１１  ガイド棒
２０  移動体
２１  掛合体
２２  掛合凹部
２３  ブラシ支持体
２４  縦溝
２５  環状体
２６  ブラシ
２７  円形空孔
２８  蓋体
２９  中央空孔
３０  突出部
【図１】
0003937582.tif 000002
【図２】
0003937582.tif 000003
【図３】
0003937582.tif 000004
【図４】
0003937582.tif 000005